(57)【要約】【課題】高倍率化が望まれる沈胴型のズームレンズに適した、簡素化、小型化、低コスト化等を図れるレンズ鏡筒を提供する。【解決手段】光軸方向にカム作用をなすカム溝２１を有する固定筒２０、固定筒のカム溝によりカム作用を受けて光軸方向に移動すると共に光軸方向にカム作用をなすカム溝３３，３４を有するカム筒３０、光軸方向に移動自在に配置された複数のレンズ枠４１，５１，７１を備えたレンズ鏡筒において、複数のレンズ枠は、カム筒３０のカム作用を受けて光軸方向に移動する２つのレンズ枠４１，５１と、固定筒２０のカム作用を受けて光軸方向に移動する１つのレンズ枠７１とに分けてそれぞれ駆動される。これによれば、一つのカム筒で全てのレンズ枠にカム作用を及ぼす構成に比べて、カム筒の構造を簡素化することができ、全体としてレンズ鏡筒の簡素化、小型化、低コスト化等を達成できる。【選択図】図５
2009162860.tif 000002
【特許請求の範囲】
【請求項１】
光軸方向にカム作用をなすカム溝を有する固定筒と、前記固定筒のカム溝によりカム作用を受けて光軸方向に移動すると共に光軸方向にカム作用をなすカム溝を有するカム筒と、光軸方向に移動自在に配置された複数の移動枠と、を備えたレンズ鏡筒であって、
前記複数の移動枠は、前記カム筒のカム作用を受けて光軸方向に移動する少なくとも一つの移動枠と、前記固定筒のカム作用を受けて光軸方向に移動する少なくとも一つの移動枠を含む、
ことを特徴とするレンズ鏡筒。
【請求項２】
前記複数の移動枠は、前記カム筒のカム作用を受けて光軸方向に移動する少なくとも一つの移動枠と、前記カム筒の移動に連動することにより前記固定筒のカム作用を受けて光軸方向に移動する少なくとも一つの移動枠を含む、
ことを特徴とする請求項１に記載のレンズ鏡筒。
【請求項３】
前記カム筒によりカム作用を受ける移動枠の光軸回りの回転を規制しつつ光軸方向にガイドするべく，前記カム筒と一体的に光軸方向に移動するガイド筒を含み、
前記固定筒のカム作用を受ける移動枠は、前記ガイド筒に固定されている、
ことを特徴とする請求項２に記載のレンズ鏡筒。
【請求項４】
前記複数の移動枠は、前記カム筒のカム作用を受ける第１レンズ枠及び第２レンズ枠、前記ガイド筒に固定された第３レンズ枠を含む、
ことを特徴とする請求項３に記載のレンズ鏡筒。
【請求項５】
前記固定筒を固定するベースを含み、
前記第３レンズ枠の後方には、前記ベースに対して光軸方向に移動する第４レンズ枠を含む、
ことを特徴とする請求項４に記載のレンズ鏡筒。
【請求項６】
光軸方向にカム作用をなすカム溝を有する固定筒と、
前記固定筒のカム溝に倣って光軸方向に移動し得るカム筒と、
光軸方向に移動自在に配置された複数の移動枠と、
を備えたことを特徴とするレンズ鏡筒。
【発明の詳細な説明】
【技術分野】
【０００１】
本発明は、レンズを保持したレンズ枠（レンズ群）等を含む移動枠を光軸方向に移動させるレンズ鏡筒に関し、特に、光軸方向にカム作用を及ぼすカム筒により、複数の移動枠を光軸方向に相対的に移動させ得るレンズ鏡筒に関する。
【背景技術】
【０００２】
従来のレンズ鏡筒としては、光軸方向にガイドする３種類のガイド溝（回転規制溝）を有する円筒状の固定筒（ガイド筒）、固定筒の外側において同軸上に回転可能に配置されると共に光軸方向にカム作用を及ぼす３種類のカム溝を有する円筒状のカム筒（カム環）、固定筒の内側に配置されてそれぞれのガイド溝に通され光軸回りの回転が規制されつつカム筒のカム溝に挿入されるフォロワピンを有する３つの移動枠等を備え、カム筒を回転させることで、３つの移動枠を光軸方向に相対的に移動させるものが知られている（例えば、特許文献１参照）。
【０００３】
一方、沈胴型のズームレンズの市場においては、高倍率化が望まれており、その要求を満たすためには、多くのレンズ枠を設けて相対的に移動させる必要がある。
そこで、従来のように一つのカム筒にて全てのレンズ枠（移動枠）を移動させようとすると、カム筒に対して各々のレンズ枠に対応するカム溝を互いに干渉しないように設けなければならない。それ故に、カム筒の回転角度が制限されてレンズ枠の十分な移動量を確保するのが困難になり、又、移動量を確保しようとすると、カム溝の複雑化やカム筒の大型化、さらに複雑なカムを形成することで高コスト化となり、レンズ鏡筒全体として複雑化、大型化、高コスト化を招くことになる。
【０００４】
【特許文献１】特開２０００−３２１４７６号公報
【発明の開示】
【発明が解決しようとする課題】
【０００５】
本発明は、上記従来技術の問題点に鑑みて成されたものであり、その目的とするところは、光軸方向に繰り出すカム筒及びレンズ枠を含む複数の移動枠を備えたレンズ鏡筒において、構造の簡素化、低コスト化、小型化等を図りつつ、複数の移動枠（レンズ枠）を光軸方向に相対的に移動させることができ、高倍率のズームレンズに適したレンズ鏡筒を提供することにある。
【課題を解決するための手段】
【０００６】
本発明のレンズ鏡筒は、光軸方向にカム作用をなすカム溝を有する固定筒と、固定筒のカム溝によりカム作用を受けて光軸方向に移動すると共に光軸方向にカム作用をなすカム溝を有するカム筒と、光軸方向に移動自在に配置された複数の移動枠と、を備えたレンズ鏡筒であって、上記複数の移動枠は、カム筒のカム作用を受けて光軸方向に移動する少なくとも一つの移動枠と、固定筒のカム作用を受けて光軸方向に移動する少なくとも一つの移動枠を含む、ことを特徴としている。
この構成によれば、カム筒が回転すると、固定筒のカム作用を受けてカム筒が光軸方向に移動し、複数の移動枠のうち少なくとも一つの移動枠がカム筒のカム作用を受けて光軸方向に移動し、複数の移動枠のうち他の少なくとも一つの移動枠が固定筒のカム作用を受けて光軸方向に移動する。
このように、複数の移動枠が、カム筒のカム作用により移動する移動枠と、カム筒にカム作用を及ぼす固定筒のカム作用により移動する移動枠とに分けられるため、一つのカム筒で全ての移動枠にカム作用を及ぼす構成に比べて、カム筒のカム溝の数を減らすことができるのでカム筒の構造を簡素化することができ、全体としてレンズ鏡筒の簡素化、小型化、低コスト化等を達成することができる。
【０００７】
上記構成において、複数の移動枠は、カム筒のカム作用を受けて光軸方向に移動する少なくとも一つの移動枠と、カム筒の移動に連動することにより固定筒のカム作用を受けて光軸方向に移動する少なくとも一つの移動枠を含む、構成を採用することができる。
この構成によれば、固定筒のカム作用を受ける移動枠が、カム筒の移動に連動することで固定筒のカム作用を受けるため、専用の駆動機構を設けて固定筒のカム作用を得る場合に比べて、構造を簡素化することができる。
【０００８】
上記構成において、カム筒によりカム作用を受ける移動枠の光軸回りの回転を規制しつつ光軸方向にガイドするべく，カム筒と一体的に光軸方向に移動するガイド筒を含み、固定筒のカム作用を受ける移動枠はガイド筒に固定されている、構成を採用することができる。
この構成によれば、回転するカム筒によりカム作用を受ける移動枠は、ガイド筒により回転が規制されつつ光軸方向にガイドされる。そして、固定筒のカム作用を受ける移動枠は、カム筒と一体的に光軸方向に移動するガイド筒に固定されているため、カム筒と一体的に光軸方向に移動する。
このように、固定筒のカム作用を受ける移動枠をガイド筒に固定することで、フォロワピン等を設ける必要がなく、この移動枠の構造を簡素化することができる。
【０００９】
上記構成において、複数の移動枠は、カム筒のカム作用を受ける第１レンズ枠及び第２レンズ枠、ガイド筒に固定された第３レンズ枠を含む、構成を採用することができる。
この構成によれば、第１レンズ枠、第２レンズ枠、及び第３レンズ枠からなる３つのレンズ枠を含むレンズ鏡筒において、構造の簡素化、小型化等を達成しつつ、高倍率のズームレンズに適したレンズ鏡筒を得ることができる。
【００１０】
上記構成において、固定筒を固定するベースを含み、第３レンズ枠の後方には、ベースに対して光軸方向に移動させられる第４レンズ枠を含む、構成を採用することができる。
この構成によれば、４つのレンズ枠（第１レンズ枠、第２レンズ枠、第３レンズ枠、第４レンズ枠）を含むことで、より高倍率のズームレンズに適したレンズ鏡筒を得ることができる。
【００１１】
また、本発明のレンズ鏡筒は、光軸方向にカム作用をなすカム溝を有する固定筒と、固定筒のカム溝に倣って光軸方向に移動し得るカム筒と、光軸方向に移動自在に配置された複数の移動枠と、を備えたことを特徴としている。
この構成によれば、カム筒が回転すると、固定筒のカム作用を受けてカム筒が光軸方向に移動し、複数の移動枠は、カム筒のカム作用又は固定筒のカム作用を受けて光軸方向に移動する。このように、複数の移動枠が、カム筒のカム作用又は固定筒のカム作用により移動するため、一つのカム筒で全ての移動枠にカム作用を及ぼす構成に比べて、カム筒のカム溝の数を減らすことができるのでカム筒の構造を簡素化することができ、全体としてレンズ鏡筒の簡素化、小型化、低コスト化等を達成することができる。
【発明の効果】
【００１２】
上記構成をなすレンズ鏡筒によれば、構造の簡素化、低コスト化、小型化等を達成しつつ、複数の移動枠（レンズ枠）を光軸方向に相対的に移動させることができ、特に、移動枠として複数のレンズ枠を採用することで、高倍率のズームレンズに適したレンズ鏡筒を得ることができる。
【発明を実施するための最良の形態】
【００１３】
以下、本発明の最良の実施形態について、添付図面を参照しつつ説明する。
図１ないし図１０は、本発明に係るレンズ鏡筒を組み込んだレンズ駆動装置の一実施形態を示すものであり、図１は装置の正面図、図２は装置の分解斜視図、図３はレンズ鏡筒の一部を示す分解斜視図、図４はレンズ鏡筒が沈胴位置にある状態を示す装置の断面図、図５はレンズ鏡筒が広角端位置にある状態を示す装置の断面図、図６はレンズ鏡筒が望遠端位置にある状態を示す装置の断面図、図７はレンズ鏡筒に含まれる固定筒を示す展開図、図８はレンズ鏡筒に含まれる固定筒の一部を示す部分展開図、図９はレンズ鏡筒に含まれるカム筒を示す展開図、図１０はレンズ鏡筒に含まれるカム筒の一部を示す部分展開図である。
【００１４】
この装置は、図１ないし図５に示すように、ベース１０、ベース１０に固着された固定筒２０、固定筒２０の内側において回転及び光軸方向Ｌに移動自在に支持されたカム筒３０、カム筒３０の内側において光軸方向Ｌにそれぞれ移動自在に支持された第１レンズ群４０及び第２レンズ群５０、第１レンズ群４０及び第２レンズ群５０の回転を規制しつつ光軸方向Ｌにガイドするガイド筒６０、第２レンズ群５０の後方に配置されてガイド筒６０に固定された第３レンズ群７０、第３レンズ群７０の後方に配置されてベース１０に対して光軸方向Ｌに移動自在に支持された第４レンズ群８０、カム筒３０を駆動する駆動機構９０、第４レンズ群８０を駆動する駆動機構１００、第１レンズ群４０と第２レンズ群５０を互いに光軸方向Ｌに引き寄せてガタ寄せを行うスプリング（不図示）等を備えている。
【００１５】
ベース１０は、図１、図２、図４ないし図６に示すように、ガラスフィルタ１１、撮像素子としてのＣＣＤ１２、ガイドシャフト１３、固定筒２０が固定される環状の固定部１４等を備えている。
また、ベース１０は、固定部１４の周りにおいて、駆動機構９０，１００を保持するように形成されている。
【００１６】
固定筒２０は、図２、図４ないし図７に示すように、ベース１０の固定部１４に固定されるべく、光軸方向Ｌに軸心をもつように樹脂材料により円筒状に形成され、その内周面２０ａにおいて、周方向において等間隔（約１２０度ごと）に配置され後述する３つのフォロワピン３１に対してカム作用を及ぼす３つのカム溝２１（図においては一部を省略）、後述するガイド筒６０の回転規制片６４を挿入して光軸方向Ｌにガイドするガイド溝２２等を備えている。
カム溝２１は、図８に示すように、後述するカム筒３０が一方向に回転することにより、沈胴位置→広角端位置→中間位置→望遠端位置にそれぞれ連続的に位置付けるように、カム筒３０（のフォロワピン３１）に対して光軸方向Ｌにカム作用を及ぼすように形成されている。
【００１７】
カム筒３０は、図２ないし図６、図９に示すように、固定筒２０の内側に入れ子状に同軸に配置されるべく、樹脂材料により円筒状に形成され、その外周面３０ａにおいて、周方向において等間隔（約１２０度ごと）に配置された３つのフォロワピン３１、外部から回転駆動力が伝えられる円弧状の歯列部３２等を備え、又、その内周面３０ｂにおいて、光軸方向Ｌにおいて第１レンズ群４０にカム作用を及ぼす３つのカム溝３３、光軸方向Ｌにおいて第２レンズ群５０にカム作用を及ぼす３つのカム溝３４、光軸方向Ｌの後端側において後述するガイド筒６０の掛止突起６２を受け入れる環状溝３５等を備えている。
【００１８】
フォロワピン３１は、固定筒２０のカム溝２１に挿入されて、光軸方向Ｌにカム作用を受けるようになっている。
歯列部３２は、後述する駆動機構９０の歯車９２ａと噛合するように形成されている。
カム溝３３は、断面が略Ｖ字状に形成されており、後述する第１レンズ群４０のフォロワピン４２を受け入れて、光軸方向Ｌにカム作用を及ぼすように形成されている。
カム溝３４は、断面が略Ｖ字状に形成されており、後述する第２レンズ群５０のフォロワピン５２を受け入れて、光軸方向Ｌにカム作用を及ぼすように形成されている。
環状溝３５は、後述するガイド筒６０の掛止突起６２を受け入れて、カム筒３０とガイド筒６０を光軸方向Ｌに一体的に移動させつつ、ガイド筒６０に対してカム筒３０の回転を許容するように形成されている。
【００１９】
第１レンズ群４０は、図２、図４ないし図６に示すように、樹脂材料により略円筒状に形成されてレンズＧ１を保持する移動枠としての第１レンズ枠４１、第１レンズ枠４１の外周面において周方向に等間隔（１２０度の角度ごとに）に形成されてカム溝３３に挿入される３つのフォロワピン４２等を備えている。
フォロワピン４２は、その先端領域がカム溝３３に摺動自在に挿入され、その付根領域が後述するガイド筒６０のガイドスリット６１ａに摺動自在に挿入されるように形成されている。そして、第１レンズ群４０は、カム筒３０の回動によりカム溝３３からカム作用を受けて、光軸方向Ｌにおいて前進及び後退するようになっている。
【００２０】
第２レンズ群５０は、図２、図４ないし図６に示すように、樹脂材料により略円筒状に形成されレンズＧ２を保持する移動枠としての第２レンズ枠５１、第２レンズ枠５１の外周面において周方向に等間隔（１２０度の角度ごとに）に形成されてカム溝３４に挿入される３つのフォロワピン５２等を備えている。
フォロワピン５２は、その先端領域がカム溝３４に摺動自在に挿入され、その付根領域が後述するガイド筒６０のガイドスリット６１ｂに摺動自在に挿入されるように形成されている。そして、第２レンズ群５０は、カム筒３０の回転によりカム溝３４からカム作用を受けて、光軸方向Ｌにおいて前進及び後退するようになっている。
【００２１】
ガイド筒６０は、図２ないし図６に示すように、円筒部６１、円筒部６１の後方領域において径方向外向きに突出する３つの掛止突起６２、円筒部６１の後端において径方向外向きに延在する環状のフランジ部６３、フランジ部６３から径方向にさらに突出する回転規制片６４、第３レンズ群７０をバヨネット式により結合するための略Ｌ字状の連結溝６５等を備えている。
【００２２】
円筒部６１は、図２ないし図６に示すように、第１レンズ枠４１のフォロワピン４２を受け入れて光軸方向Ｌにガイドする３つのガイドスリット６１ａ、第２レンズ枠５１のフォロワピン５２を受け入れて光軸方向Ｌにガイドする３つのガイドスリット６１ｂを画定している。
掛止突起６２は、カム筒３０の環状溝３５に対して、バヨネット式により掛止されて、カム筒３０がガイド筒６０に対して相対的に回転するのを許容しつつ、ガイド筒６０をカム筒３０と一体的に光軸方向Ｌに移動させるものである。
回転規制片６４は、その自由端側が固定筒２０のガイド溝２２に挿入されて光軸方向Ｌにガイドされることで、ガイド筒６０が光軸回りに回転するのを規制しつつ、光軸方向Ｌに移動するのを許容するように形成されている。
すなわち、ガイド筒６０は、第１レンズ群４０（第１レンズ枠４１）及び第２レンズ群５０（第２レンズ枠５１）とカム筒３０との間に配置されて、カム筒３０と一体的に光軸方向Ｌに移動すると共に、第１レンズ群４０及び第２レンズ群５０を光軸回りの回転を規制しつつ光軸方向Ｌへ往復動自在にガイドするようになっている。
【００２３】
第３レンズ群７０は、図２ないし図６に示すように、樹脂材料により略円筒状に形成されレンズＧ３を保持する移動枠としての第３レンズ枠７１、第３レンズ枠７１の外周面から環状に突出してガイド筒６０の内周面に嵌合される環状凸部７２、環状凸部７２の外周面から突出すると共に周方向に等間隔（１２０度の角度ごとに）に形成されてガイド筒６０の連結溝６５に挿入される３つの連結ピン７３、環状凸部７２の背面に設けられた３つのネジ穴７４等を備えている。
【００２４】
そして、第３レンズ群７０は、ガイド筒６０と一体的に光軸方向Ｌに移動するように、ガイド筒６０に固定されるようになっている。
すなわち、図３に示すように、第３レンズ枠７１の環状凸部７２が、ガイド筒６０の内周面に後方Ｒから嵌合されて、連結ピン７３が連結溝６５に挿入され、第３レンズ枠７１を所定角度回転することにより、第３レンズ枠７１はガイド筒６０に対してバヨネット式にて連結される。
その後、固定リング７５が後方Ｒから近づけられて、突起７５ａがガイドスリット６１ｂに挿入され、ネジＢを貫通孔７５ｂに通してネジ穴７４に捩じ込むことにより、第３レンズ枠７１は、ガイド筒６０に回転不能に固定されることになる。
【００２５】
このように、第３レンズ枠７０は、カム筒３０と一体的に光軸方向Ｌに移動するガイド筒６０に固定されているため、カム筒３０と一体的にすなわち固定筒２０のカム溝２１が及ぼすカム作用により光軸方向Ｌに移動するようになっている。
したがって、フォロワピン等を設けて専用の駆動機構で駆動する必要がなく、第３レンズ群７０の構造を簡素化することができる。
【００２６】
第４レンズ群８０は、図２、図４ないし図６に示すように、レンズＧ４を保持する第４レンズ枠８１、ガイドシャフト１３に連結される連結部８２、駆動機構１００に連結される連結部８３等を備え、ベース１０に対して光軸方向Ｌに移動自在に支持されている。
【００２７】
駆動機構９０は、カム筒３０を光軸方向Ｌに駆動するものであり、図１に示すように、ベース１０に固定されたモータ９１、カム筒３０の歯列部３２と噛合する歯車９２ａを含む歯車列９２等を備えている。
そして、駆動機構９０は、モータ９１を回転させることにより、カム筒３０を光軸方向Ｌに移動させる（繰り出させる又は繰り込ませる）ようになっている。
【００２８】
すなわち、モータ９１が回転すると、歯車９２ａを含む歯車列９２を介して、カム筒３０が、固定筒２０に対して相対的に回転しつつカム溝２１のカム作用により、図８に示すように、沈胴位置→広角端位置→中間位置→望遠端位置まで繰り出す。
そして、第１レンズ群４０及び第２レンズ群５０は、カム筒３０のカム溝３３，３４のカム作用により、図１０に示すように、沈胴位置→広角端位置→中間位置→望遠端位置まで、光軸方向Ｌにおいて相対的に移動する。
ここで、第１レンズ群４０、第２レンズ群５０、第３レンズ群７０は、図４に示すように後退して入れ子状に収納された非撮影時の沈胴位置から、図５に示すように光軸方向Ｌにおいてそれぞれ繰り出した広角端撮影位置を経て、図６に示す望遠端撮影位置までの間を移動して、ズーミング動作を行うようになっている。
【００２９】
駆動機構１００は、第４レンズ群８０を光軸方向Ｌに駆動するものであり、図１に示すように、固定筒２０の外側に配置されたモータ１０１、モータ１０１により駆動される歯車列（不図示）、歯車列により回転駆動されるリードスクリュー（不図示）、第４レンズ枠８１の連結部８３に保持されリードスクリューに螺合したナット（不図示）等を備えている。
そして、駆動機構１００は、モータ１０１を回転させることにより、第４レンズ群８０を光軸方向Ｌにおいて移動（前進及び後退）させて合焦動作を行うようになっている。
すなわち、第４レンズ群８０は、沈胴位置（図４）→広角端撮影位置（図５）→望遠端撮影位置（図６）のズーミングに応じて、合焦動作を行うようになっている。
【００３０】
次に、上記のレンズ鏡筒を備えるレンズ駆動装置がデジタルカメラに搭載された場合の一般的な動作について説明する。
先ず、非撮影時において、第１レンズ群４０、第２レンズ群５０、第３レンズ群７０、第４レンズ群８０及びカム筒３０は、図４に示すように、光軸方向Ｌの後方Ｒに向けて後退した沈胴位置にある。
【００３１】
この沈胴位置から、駆動機構９０によりカム筒３０が回転させられると、フォロワピン３１がカム溝２１に案内されて移動し、カム筒３０は光軸方向Ｌの前方Ｆに向かって繰り出し始める。また、カム筒３０の回転により、フォロワピン４２，５２がガイドスリット６１ａ，６１ｂにより光軸方向Ｌにのみ案内されつつカム溝３３，３４によるカム作用を受けて、第１レンズ群４０及び第２レンズ群５０は、光軸回りの回転が規制されつつ光軸方向Ｌに移動し、第３レンズ群７０はガイド筒６０（及びカム筒３０）と一体となって光軸方向Ｌに移動し、又、駆動機構１００により第４レンズ群８０が適宜光軸方向Ｌに移動し、図５に示す広角端撮影位置に至る。
【００３２】
この広角端撮影位置において、駆動機構９０がさらに駆動されると、カム筒３０は回転しつつ光軸方向Ｌにさらに移動し、フォロワピン４２，５２がガイドスリット６１ａ，６１ｂにより光軸方向Ｌにのみ案内されつつカム溝３３，３４によるカム作用を受けて、第１レンズ群４０及び第２レンズ群５０は光軸回りの回転が規制されつつ光軸方向Ｌに移動し、駆動機構１００により第４レンズ群８０が適宜光軸方向Ｌに移動して、図６に示す望遠端撮影位置に至る。
【００３３】
このように、第１レンズ群４０及び第２レンズ群５０は、カム筒３０のカム作用を受けて光軸方向Ｌに移動し、第３レンズ群７０は、ガイド筒６０及びカム筒３０を介して固定筒２０のカム作用を受けて光軸方向Ｌに移動するように形成されている。
すなわち、複数の移動枠としての３つの第１レンズ枠４１，第２レンズ枠５１，及び第３レンズ７１が、カム筒３０のカム作用により移動する第レンズ枠４１及び第２レンズ枠５１と、カム筒３０にカム作用を及ぼす固定筒２０のカム作用により移動する第３レンズ枠７１とに分けられるため、一つのカム筒で全てのレンズ枠（移動枠）にカム作用を及ぼす構成に比べて、カム筒３０に形成するカム溝を減らせるため構造を簡素化することができ、全体としてレンズ鏡筒の簡素化、小型化、低コスト化等を達成することができる。
【００３４】
上記実施形態においては、固定筒２０のカム作用を受けて光軸方向Ｌに移動する移動枠として、ガイド筒６０に固定された第３レンズ枠７１を示したが、これに限定されるものではなく、所定の連動機構を設けてカム筒３０の移動に連動させることにより、固定筒２０のカム作用を受けて光軸方向Ｌに移動するレンズ枠を採用してもよく、又、固定筒２０のカム溝２１により直接カム作用を受けるようにフォロワピンを設け、専用の駆動機構により駆動されるレンズ枠を採用してもよい。
【００３５】
上記実施形態においては、光軸方向Ｌに移動自在に配置された複数の移動枠として、第１レンズ枠４１、第２レンズ枠５１、及び第３レンズ枠７１を示したが、これに限定されるものではなく、４つ以上のレンズ枠を採用してもよく、又、レンズを保持するレンズ枠に限らず、絞り機構を保持する絞り枠あるいはその他の機能部品を保持した移動枠を採用してもよい。
上記実施形態においては、固定筒２０のカム作用を受ける第３レンズ枠７１が、カム筒３０と共通のカム溝２１によるカム作用を受ける場合を示したが、固定筒２０にカム溝２１以外のカム溝を設け、このカム溝によりカム作用を受けて光軸方向Ｌに移動するレンズ枠を採用してもよい。
【産業上の利用可能性】
【００３６】
以上述べたように、本発明のレンズ鏡筒は、構造の簡素化、低コスト化、小型化等を図りつつ、複数のレンズ枠（移動枠）を光軸方向に相対的に移動させることができるため、小型化が望まれる高倍率のズームレンズ等を搭載するデジタルスチルカメラ、デジタルビデオカメラ等に適用できるのは勿論のこと、銀塩フィルム式のカメラあるいはその他のレンズ鏡筒を要するレンズ光学系においても有用である。
【図面の簡単な説明】
【００３７】
【図１】本発明に係るレンズ鏡筒を組み込んだレンズ駆動装置の一実施形態を示す正面図である。
【図２】図１に示すレンズ駆動装置の分解斜視図である。
【図３】図１に示すレンズ駆動装置に含まれるレンズ鏡筒の一部を示す分解斜視図である。
【図４】レンズ鏡筒が沈胴位置にある状態を示すレンズ駆動装置の断面図である。
【図５】レンズ鏡筒が広角端撮影位置にある状態を示すレンズ駆動装置の断面図である。
【図６】レンズ鏡筒が望遠端撮影位置にある状態を示すレンズ駆動装置の断面図である。
【図７】レンズ鏡筒に含まれる固定筒を示す展開図である。
【図８】レンズ鏡筒に含まれる固定筒の一部を示す部分展開図である。
【図９】レンズ鏡筒に含まれるカム筒の展開図である。
【図１０】レンズ鏡筒に含まれるカム筒の一部を示す部分展開図である。
【符号の説明】
【００３８】
Ｌ  光軸方向
Ｆ  前側
Ｒ  後側
Ｇ１，Ｇ２，Ｇ３，Ｇ４  レンズ
１０  ベース
１１  ガラスフィルタ
１２  ＣＣＤ
１３  ガイドシャフト
２０  固定筒
２１  カム溝
２２  ガイド溝
３０  カム筒
３０ａ  外周面
３０ｂ  内周面
３１  フォロワピン
３２  歯列部
３３，３４  カム溝
３５  環状溝
４０  第１レンズ群
４１  第１レンズ枠（移動枠）
４２  フォロワピン
５０  第２レンズ群
５１  第２レンズ枠（移動枠）
５２  フォロワピン
６０  ガイド筒
６０  円筒部
６１ａ，６１ｂ  ガイドスリット
６２  掛止突起
６３  フランジ部
６４  回転規制片
６５  Ｌ字状の連結溝
７０  第３レンズ群
７１  第３レンズ枠（移動枠）
７２  環状凸部
７３  連結ピン
７４  ネジ穴
７５  固定リング
７５ａ  突起
７５ｂ  貫通孔
Ｂ  ネジ
８０  第４レンズ群
８１  第４レンズ枠
８２，８３  連結部
９０  駆動機構
９１  モータ
９２  歯車列
９２ａ  歯車
１００  駆動機構
１０１  モータ
【図１】
2009162860.tif 000003
【図２】
2009162860.tif 000004
【図３】
2009162860.tif 000005
【図４】
2009162860.tif 000006
【図５】
2009162860.tif 000007
【図６】
2009162860.tif 000008
【図７】
2009162860.tif 000009
【図８】
2009162860.tif 000010
【図９】
2009162860.tif 000011
【図１０】
2009162860.tif 000012